【事件の表示】
　平成１０年特許願第１２２０７０号「ＤＧＰＳ測位方法」拒絶査定不服審判事件〔平成１１年１１月１６日出願公開、特開平１１−３１６２６９〕について、次のとおり審決する。
【結　論】
　本件審判の請求は、成り立たない。
【理　由】
第１　手続の経緯・本願発明 
　本願は、平成１０年５月１日の出願であって、平成１６年８月２６日付け（発送日：同年９月７日）で拒絶査定がなされ、これに対して、同年１０月５日に拒絶査定に対する審判請求がなされたものであり、その請求項１に係る発明（以下、「本願発明」という。）は、平成１６年４月６日付けの手続補正書により補正された明細書及び図面の記載からみて、その特許請求の範囲の請求項１に記載された事項により特定される次のとおりのものと認められる。
　
　「【請求項１】　ＦＭ多重で放送されるＤＧＰＳ情報をＦＭ多重放送受信機で受信してナビゲーション装置に入力し、ＧＰＳで測位した位置をＤＧＰＳ情報に基づいて補正するＤＧＰＳ測位方法において、
　受信可能なＤＧＰＳ局の局情報を定期的に取得して電源オフ後も保持可能なメモリに保存し、
　電源オン時に保存してあるＤＧＰＳ局を受信してＤＧＰＳ情報を取得し、
　該ＤＧＰＳ情報に基づいてＧＰＳから得られる位置情報を修正することを特徴とするＤＧＰＳ測位方法。」
　
第２　引用刊行物に記載された発明
　原査定の拒絶の理由で引用した本願出願前に頒布された刊行物である特開平９−４３３３５号公報（以下、「引用刊行物」という。）には、図面とともに以下の事項が記載されている。
　１．「【０００１】
【発明の属する技術分野】本発明は、ナビゲーション装置および方法に関し、特に移動体の現在位置において、受信可能な放送局を１つだけ検索し、その放送局の放送を自動的に受信するようにしたナビゲーション装置および方法に関する。」
　２．「【００１１】
【発明の実施の形態】図１は、本発明のナビゲーション装置を応用したパーソナルコンピュータの構成例を表している。・・・・
【００１３】この携帯用パーソナルコンピュータ（ノート型パーソナルコンピュータ）には、カード７を装着し、所定の機能を付加することができるようになされている。この実施例においては、カード７には、図示せぬ衛星からの電波を受信し、現在位置を検出するＧＰＳ受信装置１１、ＦＭ放送、ＡＭ放送、テレビジョン放送などを受信する受信装置１２、および例えば道路上の所定の位置に配置されているビーコンなどを受信し、位置情報を得る各種センサ１３が設けられている。・・・・
【００１４】図２は、受信装置１２の構成例を表している。受信制御部２４は、制御装置１からの制御に対応して、ＰＬＬ制御部２５を制御し、フロントエンド２２に対して、所定の周波数の電波を受信させる選局信号を出力するようになされている。フロントエンド２２は、アンテナ２１を介して、所定の放送を受信し、その受信信号を検波制御部２３に出力している。
【００１５】検波制御部２３は、入力された信号を検波し、主たる情報としてのオーディオ信号を出力する他、このオーディオ信号に付随して放送されているＤＧＰＳ情報や交通情報も出力する。また、テレビジョン放送を受信している場合においては、主たる情報としての映像信号も出力する。これらの出力信号は、制御装置１に供給される。
【００１６】制御装置１は、オーディオ信号を、スピーカ５に出力し、映像信号と交通情報は、表示装置４に出力し、表示する。また、ＤＧＰＳ情報は、ＧＰＳ受信装置１１に供給され、現在位置を補正するのに用いられる。
【００１７】すなわち、ＦＭ放送の場合、図３のスペクトラムに示すように、左チャンネル（Ｌチャンネル）と右チャンネル（Ｒチャンネル）の和信号と差信号が主信号として伝送される他、付随する信号として多重信号が放送されるようになされている。そしてこの多重信号には、各種の文字、図形情報や交通情報の他、付加情報が多重化され、伝送されるようになされている。
【００１８】最近、この付加情報の１つとして、ＤＧＰＳ（ｄｉｆｆｅｒｅｎｔｉａｌ  ｇｌｏｂａｌ  ｐｏｓｉｔｉｏｎｉｎｇ  ｓｙｓｔｅｍ）情報を伝送するサービスが普及しつつある。このサービスは、固定局（例えば放送局）がＧＰＳの衛星波を受信し、衛星波の到着時間から計算した、衛星から受信地点（放送局）までの距離と実際の距離との誤差を求め、この誤差をＤＧＰＳ情報として伝送するものである。この誤差を検出する基準局（放送局）の可視範囲にある衛星に関するデータを送信するフォーマットとして、ＲＴＣＭ  ＳＣ−１０４が規定されている。
【００１９】ＧＰＳ情報だけからの測位精度は１００ｍ以内程度とされているが、このＤＧＰＳ情報を用いて補正を行うことで、測位精度を１０ｍ以内にすることができる。」
　３．「【００２４】自動受信モードを設定した場合においては、さらにＤＧＰＳ情報を優先させるか、交通情報を優先させるかの優先順位を規定するボタンアイコン３３，３４が表示される。ＤＧＰＳ情報を優先させるとき、ＤＧＰＳ情報優先ボタンアイコン３３が選択され、交通情報を優先させるとき、交通情報優先ボタンアイコン３４が操作される。
・・・・
【００２６】さらに、自動受信モードを設定した場合、一定の周期で放送局が検索されるが、この検索周期が５分、１０分、１５分、２０分、２５分または３０分のボタンアイコン３７中から所定のものを選択することで指定することができるようになされている。
【００２７】使用者は、このメニューを表示装置４に表示させ、所定のボタンアイコンを操作することで、所定の入力を予め行っておくようにする。
【００２８】次に、図６のフローチャートを参照して、その動作について説明する。
・・・・
【００３０】ステップＳ１において、自動モードが設定されていると判定された場合、ステップＳ２に進み、現在位置の推定処理が実行される。すなわち、制御装置１は、ＧＰＳ受信装置１１を制御し、ＧＰＳ情報を受信させ、そのＧＰＳ情報から現在位置を演算させる。そして、ステップＳ３に進み、制御装置１は、ＧＰＳ受信装置１１で求められた現在位置を取り込み、その現在位置で受信可能な放送局を記憶装置２に予め記憶されている放送局リストの中から検索する。図４に示したように、記憶装置２に記憶されている放送局リスト中には、各放送局に対応して、受信可能地域が登録されており、現在位置が受信可能地域に含まれる放送局を検索することで、この検索が実行される。
【００３１】次に、ステップＳ４に進み、受信可能な放送局が存在するか否かを判定し、存在しなければ、ステップＳ２に戻り、それ以降の処理を繰り返し実行する。
【００３２】すなわち、図７に示すように、この携帯用パーソナルコンピュータにＩＣカード７を装着した状態で、自動車などの移動体に乗り、移動経路に沿って移動していると、現在位置が時々刻々と変化するため、受信可能な放送局も時々刻々と変化する。記憶装置に予め登録されているリストから、現在位置において受信可能な放送局を検索するのである。
【００３３】ステップＳ４において、現在位置において受信可能な放送局が１個以上検索されたと判定された場合においては、ステップＳ５に進み、ＤＧＰＳ情報優先モードが選択されているか否かが判定される。ＤＧＰＳ情報優先モードが選択されていると判定された場合においては、ステップＳ８に進み、ＤＧＰＳ情報優先検索処理が実行される。ＤＧＰＳ情報優先検索処理については、図８のフローチャートを参照して後述する。
・・・・
【００３６】以上の図６の処理は、図５の検索周期ボタンアイコン３７で設定した時間毎に定期的に行われる。
【００３７】次に図８を参照して、図６のステップＳ８におけるＤＧＰＳ情報優先検索処理の詳細について説明する。すなわち、ＤＧＰＳ情報優先モードが指定されている場合においては、現在位置から受信可能な放送局の中から、ＤＧＰＳ情報を放送している放送局が検索される。各放送局がＤＧＰＳ情報を放送しているか否かは、図４に示した放送局リストの放送内容から判定することができる。そこで、ステップＳ２１では、現在位置において、受信可能な放送局であって、ＤＧＰＳ情報を放送している放送局があれば、それが全て検索される。
【００３８】次に、ステップＳ２２において、現在位置から受信可能なＤＧＰＳ情報を放送している放送局が存在するか否かが判定され、存在すると判定された場合においては、ステップＳ２３に進み、その数が複数であるか否かが判定される。１つであれば、ステップＳ２５に進み、その放送局が選択され、ステップＳ２６において、その放送局が受信される。
【００３９】これに対して、ステップＳ２３において、現在位置から受信可能なＤＧＰＳ情報を放送している放送局が複数存在すると判定された場合においては、ステップＳ２４に進み、基地局との距離による選局処理が実行される。
・・・・
【００４４】・・・・すなわち、現在位置に最も近い放送局が選局される。
・・・・
【００４６】次に、図８に戻って、ステップＳ２６で、ステップＳ２４またはＳ２５で選局された放送局を受信すると、この受信情報には、ＤＧＰＳ情報が含まれていることになる。そこで、ステップＳ２７に進み、制御装置１は、検波制御部２３の出力からＤＧＰＳ情報を抽出し、このＤＧＰＳ情報をＧＰＳ受信装置１１に出力する。ＧＰＳ受信装置１１は、このＤＧＰＳ情報を用いて現在位置を補正する。そして、補正した現在位置データを制御装置１に出力する。これにより、上述したように、より正確な現在位置が求められることになる。」
　
　上記摘記事項１ないし３から、次のことが読み取れる。
　（ア）上記摘記事項１、２から、ナビゲーション装置は、パーソナルコンピュータ及びそれに装着されたカード７からなり、ＧＰＳ受信装置１１を備えること。
　（イ）上記摘記事項２から、受信装置１２は放送を受信しＤＧＰＳ情報を出力すること、ＤＧＰＳ情報は、ＧＰＳ受信装置１１に供給され、ＧＰＳ受信装置１１が測位した現在位置を補正するために用いられること、すなわち、ＤＧＰＳ情報を用いた測位方法が実施されること、ＤＧＰＳ情報は、ＦＭ放送の多重信号として放送されること。
　（ウ）上記摘記事項３から、自動受信モード及びＤＧＰＳ情報優先モードが設定されている場合に、ＧＰＳ受信装置１１で求められた現在位置を取り込み、その現在位置で受信可能な放送局を記憶装置２に予め記憶されている放送局リストの中から検索し、該受信可能な放送局の中からＤＧＰＳ情報を放送している放送局を選択して選局し、ＤＧＰＳ情報を抽出し、このＤＧＰＳ情報を用いてＧＰＳ受信装置１１が測位した現在位置を補正すること、そして、これら一連の処理を設定した時間毎に定期的に実行すること。
　
　以上のことから、引用刊行物には、次の発明（以下、「引用発明」という。）が記載されているものと認められる。
　「ＦＭ放送の多重信号として放送されるＤＧＰＳ情報を受信装置１２で受信してナビゲーション装置に備えられたＧＰＳ受信装置１１に供給し、該ＤＧＰＳ情報を用いてＧＰＳ受信装置１１が測位した現在位置を補正するＤＧＰＳ情報を用いた測位方法において、
　自動受信モード及びＤＧＰＳ情報優先モードが設定されている場合に、ＧＰＳ受信装置１１で求められた現在位置を取り込み、その現在位置で受信可能な放送局を記憶装置２に予め記憶されている放送局リストの中から検索し、この検索した受信可能な放送局の中からＤＧＰＳ情報を放送している放送局を選択して選局し、ＤＧＰＳ情報を抽出し、このＤＧＰＳ情報を用いてＧＰＳ受信装置１１が測位した現在位置を補正し、これら一連の処理を設定した時間毎に定期的に実行することを特徴とするＤＧＰＳ情報を用いた測位方法。」
　
第３　対比・判断  
　１．本願発明と引用発明との対比
　（ア）引用発明における「ＦＭ放送の多重信号として放送されるＤＧＰＳ情報」、「受信装置１２」、「ナビゲーション装置」、「ＤＧＰＳ情報を用いた測位方法」、「ＤＧＰＳ情報を放送している放送局を選択して選局し、ＤＧＰＳ情報を抽出し、このＤＧＰＳ情報を用いてＧＰＳ受信装置１１が測位した現在位置を補正」は、それぞれ、本願発明における「ＦＭ多重で放送されるＤＧＰＳ情報」、「ＦＭ多重放送受信機」、「ナビゲーション装置」、「ＤＧＰＳ測位方法」、「ＤＧＰＳ局を受信してＤＧＰＳ情報を取得し、該ＤＧＰＳ情報に基づいてＧＰＳから得られる位置情報を修正」に相当する。
　（イ）引用発明は、「受信可能な放送局の中からＤＧＰＳ情報を放送している放送局を選択」しており、このように特定の「放送局を選択」するためには、その放送局を特定するための何らかの情報、例えば、周波数等の情報を以て特定しなければならないから、引用発明も、本願発明と同様に、「受信可能なＤＧＰＳ局の局情報を取得」するものである点で両者は共通する。
　
　したがって、本願発明と引用発明とは、
　「ＦＭ多重で放送されるＤＧＰＳ情報をＦＭ多重放送受信機で受信してナビゲーション装置に入力し、ＧＰＳで測位した位置をＤＧＰＳ情報に基づいて補正するＤＧＰＳ測位方法において、
　受信可能なＤＧＰＳ局の局情報を定期的に取得し、
　ＤＧＰＳ局を受信してＤＧＰＳ情報を取得し、
　該ＤＧＰＳ情報に基づいてＧＰＳから得られる位置情報を修正することを特徴とするＤＧＰＳ測位方法。」である点で一致し、次の相違点で相違する。
　［相違点］本願発明が、ＤＧＰＳ局情報を電源オフ後も保持可能なメモリに保存し、電源オン時に保存してあるＤＧＰＳ局を受信するのに対し、引用刊行物にはそのような記載がない点。
　
　上記相違点について検討する。
　放送局に関する情報を電源オフ後も保持可能なメモリに保存し、電源オン時にその情報に基づき保存してある放送局を受信することは周知（例えば、特開平６−３２６５６２号公報［「【００１５】・・・・１１ｃは代替局メモリであり、各プログラムネットワークについて、同一プログラムネットワークを構成する各局毎に、該局の周波数に対応付けて隣接関係に在る局の周波数を記憶する代替局メモリであり、バッテリバックアップされたＳＲＡＭを使用するなどして、電源オフ後も記憶データが保存されるようになっている。」と記載され、図面の図４、図７には、電源オン時に、代替局メモリに放送局の情報が登録されているか否かチェックし（ステップ１０４）、ＹＥＳの場合に、その情報に基づいて登録されている放送局を受信する（ステップ４１２）ことが示されている］、特開昭６４−５５９２０号公報［「コントローラ１４はマイクロコンピュータによって構成され、グループ単位で順次入力されるラジオデータ中の各ブロックのコード情報、すなわち現在受信中の放送局の番組内容に関連するラジオデータ情報（上記したＰＩコード、ＡＦデータ、ＰＳデータ等）を取り込んでメモリ１５に記憶しておく。この動作により受信放送局と同一ネットワーク局のＡＦデータリストｆ１、ｆ２・・・・・・ｆｎが形成される。」（第３頁右上欄第２行〜第１０行）、「なお、メモリ１５は受信周波数データ、ＰＩコード、ＡＦデータ等のデータが書き込まれる不揮発性のＲＡＭと、プログラム及びデータが予め書き込まれたＲＯＭとからなる。」（第３頁右上欄第２０行〜第４頁左下欄第３行）、「受信機の電源スイッチのオン直後ならば、電源スイッチがオフされた直前に受信していた受信周波数データをメモリ１５から読み出してＰＬＬ回路２ａの分周器にセットする（ステップ５３）。・・・・しかしながら、Ｖ１≧ＶＳ≧Ｖ２の範囲の受信状態が所定時間を以上継続した場合にはメモリ１５に書き込んだＡＦデータリストｆ１、ｆ２・・・・・・ｆｎから１のＡＦデータｆＡＦを読み出してＰＬＬ回路２ａの分周器にセットする（ステップ５９）。これにより受信周波数が同一ネットワークの他の放送局の放送周波数に変化する。」（第３頁左下欄第１３行〜第４頁左上欄第１１行）、「上記した本発明の実施例においては、受信中のＲＤＳ放送波からＡＦデータを得ることにより同一ネットワーク層群の周波数データをメモリに格納しているが、予め受信可能な放送局毎の同一ネットワーク層群の周波数データをメモリに格納して置いても良い。」（第５頁右上欄第８行〜第１３行）］参照。）であるから、該周知技術を引用発明に適用し、ＤＧＰＳ局情報を電源オフ後も保持可能なメモリに保存し、電源オン時に保存してあるＤＧＰＳ局を受信するようにすることは、当業者が容易になし得たことである。
　そして、本願発明の奏する効果は、引用刊行物及び上記周知技術から当業者が予測し得る範囲内のものであり、格別のものではない。  
　よって、本願発明は、引用発明及び周知技術に基づいて当業者が容易に発明をすることができたものである。
　
第４　むすび
　以上のとおり、本願発明は、特許法第２９条第２項の規定により特許を受けることができないものであるから、本願は拒絶すべきものである。
  よって、結論のとおり審決する。